(57)【要約】      （修正有）【課題】より斬新で面白みのある興趣性の高い容器を提供する。【解決手段】紙製容器１Ａにあっては、プルトップ式蓋本体２０Ａが、容器本体１０Ａの上端部開口１１を遮蔽した状態で、容器本体１０Ａの内部に配置された支持部と上内カール部３２との間に介装されることで支持部に下から支持されており、遮蔽板部がプルトップ式蓋本体２０Ａの中央側に折り返されて切り起こし開口部２９となる部位の下側に配されてなる。【選択図】図１
0003220998.tif 000002
【実用新案登録請求の範囲】
【請求項１】
有底筒形状の容器本体と、
前記容器本体の上端に形成された上端部開口を遮蔽する、前記容器本体とは別体で構成された平板形状のプルトップ式蓋本体と、
を具備し、
前記容器本体は、
前記上端部開口の口縁部に形成された、当該上端部開口の中央に向かって突出した可撓性のある可撓性凸部を備え、
さらに前記プルトップ式蓋本体は、前記上端部開口を遮蔽する主体部と、当該主体部にあらかじめ設けられた易破断線に沿って切り起し可能なプルタブとしての摘み部と、当該摘み部を切り起すことによって形成された切り起こし開口部を遮蔽する遮蔽板部とを備え、
前記遮蔽板部は、前記主体部の外縁部から外向きに突き出されるように延出形成された突出状舌片からなり、
前記プルトップ式蓋本体が、前記容器本体の前記上端部開口を遮蔽した状態では、前記容器本体の内部に配置された支持部と前記可撓性凸部との間に前記主体部が介装されて、当該主体部が前記支持部に下から支持されており、前記遮蔽板部が当該主体部の中央側に折り返されて前記切り起こし開口部となる部位の下側に配されてなる
ことを特徴とする容器。
【請求項２】
前記可撓性凸部は、前記容器本体の上端部に形成された内カール部で構成されてなる
請求項１に記載の容器。
【請求項３】
請求項１又は請求項２に記載の容器に用いられるプルトップ式蓋本体であって、
前記主体部と前記遮蔽板部とが連続する一枚のブランクで構成されてなる
ことを特徴とするプルトップ式蓋本体。
【考案の詳細な説明】
【技術分野】
【０００１】
本考案は、物品を収容する容器、及び該容器に用いられるプルトップ式蓋本体に関する。
【背景技術】
【０００２】
従来から、例えば特許文献１に開示されているような、環状に形成された側壁部及び該側壁部の下端部開口を閉塞した底部を有する箱本体と、側壁部の上端部開口を閉塞可能に構成された蓋体とを備えた包装箱が知られている。
【先行技術文献】
【特許文献】
【０００３】
【特許文献１】特開２０１０−１４３５９３号公報
【考案の概要】
【考案が解決しようとする課題】
【０００４】
しかしながら、従来の構成ではデザインが陳腐化しており、加えて、従来にはない新たな付加価値を備えた容器を求める声が強くあった。
【０００５】
そこで本考案は、より斬新で面白みのある興趣性の高い容器を提供することを目的とする。また本考案は、前記容器に用いられるプルトップ式蓋本体を提供することを目的とする。
【課題を解決するための手段】
【０００６】
本考案は、有底筒形状の容器本体と、前記容器本体の上端に形成された上端部開口を遮蔽する、前記容器本体とは別体で構成された平板形状のプルトップ式蓋本体と、を具備し、前記容器本体は、前記上端部開口の口縁部に形成された、当該上端部開口の中央に向かって突出した可撓性のある可撓性凸部を備え、さらに前記プルトップ式蓋本体は、前記上端部開口を遮蔽する主体部と、当該主体部にあらかじめ設けられた易破断線に沿って切り起し可能なプルタブとしての摘み部と、当該摘み部を切り起すことによって形成された切り起こし開口部を遮蔽する遮蔽板部とを備え、前記遮蔽板部は、前記主体部の外縁部から外向きに突き出されるように延出形成された突出状舌片からなり、前記プルトップ式蓋本体が、前記容器本体の前記上端部開口を遮蔽した状態では、前記容器本体の内部に配置された支持部と前記可撓性凸部との間に前記主体部が介装されて、当該主体部が前記支持部に下から支持されており、前記遮蔽板部が当該主体部の中央側に折り返されて前記切り起こし開口部となる部位の下側に配されてなることを特徴とする容器である。
【０００７】
かかる構成の前記プルトップ式蓋本体は、のり付けやシールによる貼着等をすることなく前記容器本体に取り付けることができるため、製造工程や商品詰め作業の簡素化を図ることができる。また、フルオープンエンド式の缶詰の如き外観を呈する容器を例えば紙材料のみで構築することが可能となり、斬新で面白みのある興趣性に富んだ容器とすることができる。しかも前記プルトップ式蓋本体は前記容器本体とは別体で構成され、当該プルトップ式蓋本体を当該容器本体から離脱する際に切断箇所が発生しないため、再び封をすることも可能である。ここで、プルタブとしての前記摘み部を切り起こすと前記主体部に切り起こし開口部が形成され、容器の内外が当該切り起こし開口部を介して内部が開放されてしまうところ、前記遮蔽板部によって当該切り起こし開口部が遮蔽されるため、密閉性が損なわれることがない。また、摘み部は、易破断線を破断させて切り起こす構造であるため、改ざん防止や開封防止の機能を果たすこととなる。
【０００８】
また、前記可撓性凸部は、前記容器本体の上端部に形成された内カール部で構成されてなる構成が提案される。
【０００９】
かかる構成とすることにより、従来から用いられている内カール加工を施すだけで前記可撓性凸部を構成することができる。
【００１０】
また本考案は、前記容器に用いられるプルトップ式蓋本体であって、前記主体部と前記遮蔽板部とが連続する一枚のブランクで構成されてなることを特徴とするプルトップ式蓋本体である。
【００１１】
かかる構成にあっては、前記プルトップ式蓋本体が一枚のブランクで構成されているため、材料の無駄が少なく、前記容器本体を製作する作業工程も単純なものとすることができる。
【考案の効果】
【００１２】
本考案の容器は、斬新で面白みのある興趣性の高いものとすることができる効果がある。
【００１３】
また本考案のプルトップ式蓋本体は、材料の無駄が少なく、前記容器本体を製作する作業工程や商品詰めの作業を単純なものとすることができる効果がある。
【図面の簡単な説明】
【００１４】
【図１】第一実施例にかかる紙製容器を示し、（ａ）は摘み部を切り起こす前の状態を示す斜視図であり、（ｂ）は摘み部を切り起した後の状態を示す斜視図である。
【図２】第一実施例にかかる紙製容器のブランクを示す平面図である。
【図３】第一実施例にかかる紙製容器の縦断面図である。
【図４】第二実施例にかかる蓋本体の主体部の一部が、容器本体から離開した状態を示す斜視図である。
【図５】第二実施例にかかる紙製容器のブランクを示す平面図である。
【図６】第二実施例にかかる紙製容器の縦断面図である。
【図７】第三実施例にかかる紙製容器の縦断面図である。
【図８】第四実施例にかかる紙製容器のブランクを示す平面図である。
【図９】第四実施例にかかる紙製容器の縦断面図である。
【考案を実施するための形態】
【００１５】
以下、本考案にかかる容器を具体化した実施例を詳細に説明する。なお、本考案は、下記に示す実施例に限定されることはなく、適宜設計変更が可能である。
【００１６】
〔第一実施例〕
図１に示すように、紙製容器１Ａは、組み立て式の容器であり、紙製で有底筒形状の容器本体１０Ａと、紙製で平板形状のプルトップ式蓋本体２０Ａとを、各々別体として備えている。なお、容器本体１０Ａは、上端に形成された上端部開口１１を備え、プルトップ式蓋本体２０Ａが上端部開口１１を遮蔽する。
【００１７】
さらに詳述すると、図２に示すように、容器本体１０Ａは、長帯状の側板部材１２と、底板部材１３Ａとで構成される。なお、底板部材１３Ａは円板形状の底板部１５を具備し、この底板部１５の周囲には、帯板状の支持部１６，１７，１８，１９が突出して形成されている。また、上述のプルトップ式蓋本体２０Ａは、円板形状の主体部２１と、主体部２１の外縁部から外向きに突き出されるように延出形成された突出状舌片である遮蔽板部２２とを備え、主体部２１と遮蔽板部２２とが連続する一枚のブランクで構成されている。
【００１８】
また、組み立てられた際には、側板部材１２の下端部には、いわゆる内カール加工されて、下内カール部３１が設けられると共に、側板部材１２Ａの上端部も、内カール加工されて上内カール部３２が設けられる。そして、側板部材１２Ａの左右両端部同士が接合されて、筒形状の側壁部３０が構成される。なお、上内カール部３２は、紙製であるが故に可撓性を有し、当該上内カール部３２によって、本考案にかかる可撓性凸部が構成される。
【００１９】
また、底板部材１３Ａは、組み立てられた状態で、底板部１５が側板部材１２の下内カール部３１の上に配置されるとともに、支持部１６，１７，１８，１９がそれぞれ上向きに折り曲げられ、かつ隣り合う支持部１６，１７，１８，１９の端部同士が噛み合わされて側壁部３０の内側に配置される（図３参照）。
【００２０】
また、プルトップ式蓋本体２０Ａは、遮蔽板部２２が主体部２１の中央側へ折り返され、組み立てられた状態では、支持部１６，１７，１８，１９と上内カール部３２との間に介装される。なお、主体部２１には、あらかじめ設けられた易破断線２５に沿って切り起し可能なプルタブとしての摘み部２６が備えられている。また、摘み部２６には引掛け孔部２７が貫通状に形成されているとともに、主体部２１における摘み部２６に隣接する部位には、摘み部２６を切り起こし容易とするための指入れ孔部２８が形成されている。そして、上述の遮蔽板部２２は、指入れ孔部２８及び摘み部２６を切り起すことによって形成される切り起こし開口部２９となる部位の下側に配される。
【００２１】
これまでに述べた紙製容器１Ａは、図３に示すように、支持部１６，１７，１８，１９の上に主体部２１が配されて容器本体１０Ａの上端部開口１１が主体部２１によって遮蔽されるとともに、主体部２１の周縁部が上内カール部３２に上から押さえられることで、プルトップ式蓋本体２０Ａが、容易に外れてしまうことが防止されている。
【００２２】
ここで、プルトップ式蓋本体２０Ａの摘み部２６を上向きに引っ張ると、主体部２１の周縁部及び側壁部３０の上内カール部３２が撓んでプルトップ式蓋本体２０Ａが容器本体１０Ａから外れて上端部開口１１が開放される。これは金属製の缶詰によく見られるフルオープンエンド式の開缶方式と非常によく似ており、かかる方式を紙製の容器で実現したことで、斬新で面白みのある興趣性の高いものとなる。また、かかる構成は、再びプルトップ式蓋本体２０Ａを容器本体１０Ａに撓ませながら装着することで、再度、容器を封止することができ、容器本体１Ａを繰り返し使用することが可能となっている。一方、摘み部２６は、易破断線２５を破断させて切り起こす構造であるため、改ざん防止や開封防止の機能を果たすこととなる。
【００２３】
以下に第二実施例の紙製容器１Ｂについて説明する。なお、上記の第一実施例と同様の構成を有するものは同じ符号を付し、説明を省略する。
〔第二実施例〕
図４に示すように、紙製容器１Ｂは、容器本体１０Ｂと、プルトップ式蓋本体２０Ｂとを備えている。
【００２４】
また、容器本体１０Ｂは、図５に示すように、長帯状の側板部材１２と、円板形状の底板部３５で構成された底板部材１３Ｂとで構成されている。また、プルトップ式蓋本体２０Ｂには、主体部２１と連続して形成された支持部４１を備え、当該支持部４１が、容器本体１Ｂの内部で直方体形状の物品収容空間Ｓ１を形成している。なお、側板部材１２、底板部材１３Ｂ、及びプルトップ式蓋本体２０Ｂは、それぞれ１枚の紙材料を所定の形状に切り取ったブランクで構成されている。
【００２５】
ここで、側板部材１２は、下端部が下内カール部３１とされ、上端部が可撓性のある可撓性凸部である上内カール部３２とされており、左右両端部が接合されて筒形状をなす側壁部３０を構成している。また、底板部材１３Ｂは、側板部材１２の下内カール部３１の上に配置されて底板部３５を構成している。
【００２６】
また、プルトップ式蓋本体２０Ｂにあっては、支持部４１と上内カール部３２との間に介装された状態で、遮蔽板部２２が主体部２１の中央側へ折り返されている。
【００２７】
かかる紙製容器１Ｂは、図６に示すように、支持部４１の上に主体部２１が配されて容器本体１０Ｂの上端部開口１１を主体部２１が遮蔽するとともに、主体部２１の周縁部が上内カール部３２に上から押さえられて、主体部２１が外れてしまうことが防止されている。
【００２８】
そして、プルトップ式蓋本体２０Ｂの摘み部２６を上向きに引っ張ると、主体部２１の周縁部の一部及び側壁部３０の上内カール部３２の一部が撓んで主体部２１が部分的に容器本体２０Ｂから離開し、上端部開口１１が部分的に開放される。
【００２９】
次に、第三実施例の紙製容器１Ｃについて説明する。なお、上記の第一実施例及び第二実施例と同様の構成を有するものは同じ符号を付し、説明を省略する。
〔第三実施例〕
紙製容器１Ｃは、図７に示すように、複数の内容物Ｘが支持部を構成しており、プルトップ式蓋本体２０Ｃの主体部２１が、内容物Ｘの上端と側壁部３０の上内カール部３２との間に介装されて上端部開口１１を遮蔽している。
【００３０】
このような紙製容器１Ｃにあっても、プルトップ式蓋本体２０Ｃの摘み部２６を上向きに引っ張ると、主体部２１の周縁部及び側壁部３０の上内カール部３２が撓んでプルトップ式蓋本体２０Ｃが容器本体１０Ｃから外れて上端部開口１１が開放される。
【００３１】
次に、第四実施例の紙製容器１Ｄについて説明する。なお、上記の第一実施例、第二実施例及び第三実施例と同様の構成を有するものは同じ符号を付し、説明を省略する。
〔第四実施例〕
紙製容器１Ｄは、図８に示すように、容器本体１０Ｄが、長帯状の側板部材１２と、円板形状の底板部３５で構成された底板部材１３Ｄと、舌片状の支持部５１，５２，５３，５４が突出して形成された長帯状の帯部５５を備えた内張り部材５０と、を備えている。また、紙製容器１Ｄが備えているプルトップ式蓋本体２０Ａは上記実施例１のプルトップ式蓋本体２０Ａと同様の構成を有している。なお、側板部材１２、底板部材１３Ｄ、内張り部材５０、及びプルトップ式蓋本体２０Ａは、それぞれ１枚の紙材料を所定の形状に切り取ったブランクで構成されている。
【００３２】
ここで、側板部材１２は、下端部が下内カール部３１とされ、上端部が可撓性のある可撓性凸部である上内カール部３２とされており、左右両端部が接合されて筒形状をなす側壁部３０を構成している。また、底板部材１３Ｂは、側板部材１２の下内カール部３１の上に配置されて底板部３５を構成している。
【００３３】
また、内張り部材５０は、帯部５５の左右両端がかみ合わされることによって環状となって側板部３０の内側で底板部３５上に載置され、支持部５１，５２，５３，５４が内側へ折り曲げられて上内カール部３２に臨む位置に配される。
【００３４】
かかる紙製容器１Ｄは、図９に示すように、支持部５１，５２，５３，５４の上に主体部２１が配されて容器本体１０Ｄの上端部開口１１を主体部２１が遮蔽するとともに、主体部２１の周縁部が上内カール部３２に上から押さえられて、主体部２１が外れてしまうことが防止されている。
【００３５】
このような紙製容器１Ｄにあっても、プルトップ式蓋本体２０Ａの摘み部２６を上向きに引っ張ると、主体部２１の周縁部及び側壁部３０の上内カール部３２が撓んでプルトップ式蓋本体２０Ａが容器本体１０Ｄから外れて上端部開口１１が開放される。なお、かかる構成は、各パーツ部品が単純構造であり、量産に適する。
【００３６】
上記の実施例において、各部の寸法形状は適宜自由に選択可能である。
また、容器の材料としては、紙材料に限定されず、プラスチック材料や金属材料が使用されてもよい。
また、支持部１６，１７，１８，１９，４１，５１，５２，５３，５４や遮蔽板部２２の形状は特に限定されない。
また、摘み部２６の形状も限定されない。
また、可撓性凸部としての上内カール部３２は、例えば上端部開口１１の中央に向かって突出した平板形状のフランジ部等で構成されていても構わない。
【符号の説明】
【００３７】
１Ａ，１Ｂ，１Ｃ，１Ｄ          紙製容器
１０Ａ，１０Ｂ，１０Ｃ，１０Ｄ  容器本体
１１                            上端部開口
１２                            側板部材
１３Ａ，１３Ｂ，１３Ｃ，１３Ｄ  底板部材
１５，３５                      底板部
１６，１７，１８，１９          支持部
２０Ａ，２０Ｂ，２０Ｃ          プルトップ式蓋本体
２１                            主体部
２２                            遮蔽板部
２５                            易破断線
２６                            摘み部
２７                            引掛け孔部
２８                            指入れ孔部
２９                            切り起こし開口部
３０                            側壁部
３１                            下内カール部
３２                            上内カール部（可撓性凸部）
４１                            支持部
５０                            内張り部材
５１，５２，５３，５４          支持部
５５                            帯部
Ｓ１                            物品収容空間
Ｘ                              内容物
【図１】
0003220998.tif 000003
【図２】
0003220998.tif 000004
【図３】
0003220998.tif 000005
【図４】
0003220998.tif 000006
【図５】
0003220998.tif 000007
【図６】
0003220998.tif 000008
【図７】
0003220998.tif 000009
【図８】
0003220998.tif 000010
【図９】
0003220998.tif 000011